(57)【要約】      （修正有）【課題】両軸受け型魚釣り用リールでは、釣り糸をスプールへ巻き上げた状態で、釣り糸の持つ緊張力や糸癖などによって、釣り糸がスプールから自然に緩み出る（ほどけ出る）ことがある。このように釣り糸がスプールから自然に緩み出る（ほどけ出る）ことを防止する保持状態とし、釣り再開の場合はその保持を容易に解除できる装置を提供する。【解決手段】スプールの前面側に位置し左右側板１１Ａ，１１Ｂを連結する連結部１１Ｃに、その長さ方向に沿って配置されバネ１０５の力にて連結部１１Ｃとの間に釣り糸が侵入できない第１状態と、バネ１０５の力に抗した作用力にて連結部１１Ｃとの間に釣り糸を挟持可能な第２状態へ動くラインストッパ１００を備えたこと。【選択図】図１４
2018186758.tif 000002
【特許請求の範囲】
【請求項１】
リール本体の左右側板間に釣り糸を巻き取るスプールが回転可能に支持された両軸受け型魚釣り用リールにおいて、
前記スプールの前面側に位置し前記左右側板を連結する連結部を備え、
前記連結部には、前記スプールに巻き上げた前記釣り糸の残り部分を着脱自在に保持する釣り糸保持部を備えた、
ことを特徴とする両軸受け型魚釣り用リール。
【請求項２】
リール本体の左右側板間に釣り糸を巻き取るスプールが回転可能に支持された両軸受け型魚釣り用リールにおいて、
前記スプールの前面側に位置し前記左右側板を連結する連結部を備え、
前記連結部には、前記スプールに巻き上げた前記釣り糸の残り部分を着脱自在に保持する釣り糸保持部を備え、
前記釣り糸保持部は、前記連結部にその長さ方向に沿って配置され、バネ力にて前記連結部に対して閉じた第１状態に保持され、前記バネ力に抗した作用力にて前記第１状態から開き前記連結部との間に前記釣り糸の挿入間隔が形成される第２状態となるラインストッパを備え、前記作用力の解除にて前記ラインストッパと前記連結部との間に前記釣り糸が挟持される関係である、
ことを特徴とする両軸受け型魚釣り用リール。
【請求項３】
リール本体の左右側板間に釣り糸を巻き取るスプールが回転可能に支持された両軸受け型魚釣り用リールにおいて、
前記スプールの前面側に位置し前記左右側板を連結する連結部を備え、
前記連結部には、前記スプールに巻き上げた前記釣り糸の残り部分を着脱自在に保持する釣り糸保持部を備え、
前記釣り糸保持部は、
前記連結部の表面に前記スプールの糸巻部分に対応し前記連結部１１Ｃに長さ方向に沿って長く形成された凹部と、前記凹部に長さ方向に沿って収容され、中間の軸支持部にて回動可能に支持され、前記軸支持部に対する一方側が前記凹部外方向に向けてバネにて付勢され、前記バネにて付勢された状態で、前記軸支持部に対する他方側が前記凹部内に入り込んだ第１状態を保つラインストッパを備え、
前記ラインストッパは、前記バネの付勢に抗した前記軸支持部に対する一方側の押圧力にて、前記軸支持部に対する他方側の裏面が前記凹部の外へ進出し前記連結部との間に前記釣り糸の挿入間隔が形成される第２状態へ移動可能であり、
前記押圧力の解除にて前記ラインストッパと前記凹部との間に前記釣り糸が挟持される関係である、
ことを特徴とする両軸受け型魚釣り用リール。
【請求項４】
前記軸支持部は前記ラインストッパから裏側へ突出形成され、前記凹部は前記連結部の長さ方向に沿った略均一な底面と前記軸支持部及び前記バネが収容される窪みを有し、
前記第１状態において前記軸支持部に対する他方側の裏面が前記底面に長さ方向に沿った当接状態を保つ、
ことを特徴とする請求項３に記載の両軸受け型魚釣り用リール。
【請求項５】
前記ラインストッパの表面は長さ方向に沿って略均一な平面または上方に凸の湾曲面をなし、前記両軸受け型魚釣り用リールが釣り竿に取り付けられた状態で、前記第１状態において前記ラインストッパの表面が前記凹部の外側に略均一に突出した状態であり、前記スプールに対する繰り出し時及び巻き取り時の緊張した前記釣り糸が前記ラインストッパの表面から離れた状態となる関係に前記連結部及び前記ラインストッパが配置された、
ことを特徴とする請求項３または請求項４に記載の両軸受け型魚釣り用リール。
【請求項６】
前記ラインストッパと前記連結部とで前記釣り糸を挟持する部分は、前記釣り糸が弧状の面または少なくとも２個所以上の角部で挟持される形態である、
ことを特徴とする請求項２乃至５のいずれかに記載の両軸受け型魚釣り用リール。
【請求項７】
前記スプールに前記釣り糸を巻き上げ操作するハンドルを備え、前記ハンドル側の前記リール本体の後部と底部の間に、前記釣り針を引っ掛ける釣り針引っ掛け部を設けた、
ことを特徴とする請求項１乃至６のいずれかに記載の両軸受け型魚釣り用リール。
【発明の詳細な説明】
【技術分野】
【０００１】
本発明は、両軸受け型魚釣り用リールに関し、特に、スプールへ巻き上げられた釣り糸が、その巻き上げられた状態を保持できるようにする技術に関する。
【背景技術】
【０００２】
魚釣り用リールには、スピニングリールや両軸受け型魚釣り用リールがあり、特に両軸受け型魚釣り用リールは、ジギング釣りやトローリング釣り等の大物釣りに適するように設計され、スプールへの釣り糸巻き取り用ハンドルを支持するハンドル軸がスプール軸と平行に配置され、スプール軸と同軸上にドラグ機構の摩擦係合部及びドラグ機構の調整用レバーを配置したレバードラグ式両軸受け型魚釣り用リールは公知である（例えば、特許文献１）。
【先行技術文献】
【特許文献】
【０００３】
【特許文献１】特開平１１−１９６７３１号公報
【発明の概要】
【発明が解決しようとする課題】
【０００４】
このような両軸受け型魚釣り用リールでは、釣り糸をスプールへ巻き上げた状態で、ドラグ機構によってスプールの釣り糸送り出し方向回転を阻止した状態において、釣り糸の持つ緊張力や糸癖などによって、釣り糸がスプールから自然に緩み出る（ほどけ出る）ことがある。特に、釣り糸として、２号程度の撚り糸（ＰＥラインと称する）の先にＰＥラインよりも太いリーダーと称される長さ数メートルの糸が接続された構成である場合、このリーダーの先に仕掛けとして釣り針付きのルアー（疑似餌）が取り付けられており、リーダーは腰がある糸であるため、それが持つ緊張力や糸癖などによって、これがスプールから自然に緩み出（ほどけ出）易い。
【０００５】
例えば、釣りを行った後、釣りを止める休止状態では、釣り糸の先に取り付けた仕掛けとして釣り針付きのルアー（疑似餌）を取り外した状態で釣り糸をスプールに巻き上げ、スプールの回転をドラグ機構によって阻止させた状態において、釣り糸の持つ緊張力や糸癖などによって、釣り糸がスプールから自然に緩み出る（ほどけ出る）ことがある。
【０００６】
このようにスプールから自然に緩み出る（ほどけ出る）釣り糸は、両軸受け型魚釣り用リールに絡みつく等により邪魔であり、次に行う釣りの支障になるため、従来は、釣り人が両軸受け型魚釣り用リールに別個に釣り糸留め用のネジを取り付け、または、プラスチックスで作製された市販の釣り糸留め具をリールにネジ止めし、これらに釣り糸の先端部を巻きつける工夫がなされているが、これらの場合、釣り糸留め用のネジや釣り糸留め具がリールから突出しているため、邪魔であり、また釣り人がこれらに接触して怪我する虞があり、好ましくない。
【０００７】
本発明は、このような点に鑑み、一旦スプールに巻き上げた釣り糸の残りの部分を安定に保持し、それによって釣り糸の持つ緊張力や糸癖などによって、釣り糸がスプールから自然に緩み出る（ほどけ出る）ことを防止し、釣りを再開する場合はその保持を容易に解除できる装置をスプールの前面側に配置し、安全で且つ操作がし易く、魚釣りが支障なく行える両軸受け型魚釣り用リールを提供するものである。
【課題を解決するための手段】
【０００８】
第１発明は、リール本体の左右側板間に釣り糸を巻き取るスプールが回転可能に支持された両軸受け型魚釣り用リールにおいて、
前記スプールの前面側に位置し前記左右側板を連結する連結部１１Ｃを備え、
前記連結部１１Ｃには、前記スプールに巻き上げた前記釣り糸の残り部分を着脱自在に保持する釣り糸保持部を備えた、
ことを特徴とする。
【０００９】
第２発明は、リール本体の左右側板間に釣り糸を巻き取るスプールが回転可能に支持された両軸受け型魚釣り用リールにおいて、
前記スプールの前面側に位置し前記左右側板を連結する連結部１１Ｃを備え、
前記連結部１１Ｃには、前記スプールに巻き上げた前記釣り糸の残り部分を着脱自在に保持する釣り糸保持部を備え、
前記釣り糸保持部は、前記連結部１１Ｃにその長さ方向に沿って配置され、バネ力にて前記連結部１１Ｃに対して閉じた第１状態に保持され、前記バネ力に抗した作用力にて前記第１状態から開き前記連結部１１Ｃとの間に前記釣り糸の挿入間隔が形成される第２状態となるラインストッパを備え、
前記作用力の解除にて前記ラインストッパと前記連結部１１Ｃとの間に前記釣り糸が挟持される関係である、
ことを特徴とする。
【００１０】
第３発明は、リール本体の左右側板間に釣り糸を巻き取るスプールが回転可能に支持された両軸受け型魚釣り用リールにおいて、
前記スプールの前面側に位置し前記左右側板を連結する連結部１１Ｃを備え、
前記連結部１１Ｃには、前記スプールに巻き上げた前記釣り糸の残り部分を着脱自在に保持する釣り糸保持部を備え、
前記釣り糸保持部は、
前記連結部１１Ｃの表面に前記スプールの糸巻部分に対応し前記連結部１１Ｃに長さ方向に沿って長く形成された凹部と、前記凹部に長さ方向に沿って収容され、中間の軸支持部にて回動可能に支持され、前記軸支持部に対する一方側が前記凹部外方向に向けてバネにて付勢され、前記バネにて付勢された状態で、前記軸支持部に対する他方側が前記凹部内に入り込んだ第１状態を保つラインストッパを備え、
前記ラインストッパは、前記バネの付勢に抗した前記軸支持部に対する一方側の押圧力にて、前記軸支持部に対する他方側の裏面が前記凹部の外へ進出し前記連結部１１Ｃとの間に前記釣り糸の挿入間隔が形成される第２状態へ移動可能であり、
前記押圧力の解除にて前記ラインストッパと前記凹部との間に前記釣り糸が挟持される関係である、
ことを特徴とする。
【００１１】
第４発明は、第３発明において、
前記軸支持部は前記ラインストッパから裏側へ突出形成され、前記凹部は前記連結部１１Ｃの長さ方向に沿った略均一な底面と前記軸支持部及び前記バネが収容される窪みを有し、
前記第１状態において前記軸支持部に対する他方側の裏面が前記底面に長さ方向に沿った当接状態を保つ、
ことを特徴とする。
【００１２】
第５発明は、第３発明または第４発明において、
前記ラインストッパの表面は長さ方向に沿って略均一な平面または上方に凸の湾曲面をなし、前記両軸受け型魚釣り用リールが釣り竿に取り付けられた状態で、前記第１状態において前記ラインストッパの表面が前記凹部の外側に略均一に突出した状態であり、前記スプールに対する繰り出し時及び巻き取り時の緊張した前記釣り糸が前記ラインストッパの表面から離れた状態となる関係に前記連結部１１Ｃ及び前記ラインストッパが配置された、
ことを特徴とする。
【００１３】
第６発明は、第２発明乃至第５発明のいずれかにおいて、
前記ラインストッパと前記連結部１１Ｃとで前記釣り糸を挟持する部分は、前記釣り糸が弧状の面または少なくとも２個所以上の角部で挟持される形態である、
ことを特徴とする。
【００１４】
第７発明は、第１発明乃至第６発明のいずれかにおいて、
前記スプールに前記釣り糸を巻き上げ操作するハンドル１２を備え、前記ハンドル１２側の前記リール本体の後部と底部の間に、前記釣り針を引っ掛ける釣り針引っ掛け部を設けた、
ことを特徴とする。
【発明の効果】
【００１５】
本発明によれば、スプールの前面側に位置し左右側板を連結する連結部１１Ｃに、スプールに巻き上げた釣り糸の残り部分を着脱自在に保持する釣り糸保持部を備えたことにより、通常の釣りに支障がなく、またスプールに巻き上げた釣り糸の残り部分を保持し易い。このため、スプールに巻き上げた釣り糸が自然に緩み出る（ほどけ出る）ことを防止できる。
【００１６】
また、釣り糸保持部が連結部１１Ｃとラインストッパとの構成であることによって、スプールに巻き上げた釣り糸は、連結部１１Ｃとラインストッパとの間に挟持されることにより安定に保持され、釣り糸の持つ緊張力や糸癖などによって、釣り糸がスプールから自然に緩み出る（ほどけ出る）ことを防止でき、釣りを再開する場合はその保持を容易に解除できる。また、ラインストッパはスプールの前面側で連結部１１Ｃに配置されるため、操作がし易く、釣りを支障なく行える。
【００１７】
また、ラインストッパの表面は、釣り糸の送り出し時及び巻き取り時に釣り糸から離れた状態であることにより、釣り糸の送り出し時及び巻き取り時の動作の邪魔にならず、安定した釣り操作ができる。
【００１８】
また、連結部１１Ｃに長さ方向に沿って連結部１１Ｃの表面に長く形成された凹部にラインストッパが収容される構成によって、ラインストッパと凹部との間に挟持された釣り糸は、少なくとも２か所以上で屈曲状態となるため、ラインストッパを付勢するバネ力は比較的小さくても釣り糸の挟持が確実となり、る。このため、ラインストッパの一方側を押してラインストッパを開く操作力と、挟持を解除する操作力も小さくて済み、ラインストッパの操作がし易くなる。
【００１９】
また、釣り針付きのルアーを取り付けた釣り糸をラインストッパによって保持した状態では釣り針がフリーの状態であるため、釣り針に引っ掛かる危険があるが、釣り針引っ掛け部に釣り針を引っ掛ければその危険が少なくなる。本発明ではそれだけでなく、釣り針引っ掛け部をリールのハンドル側のリールの下部に設けることにより、釣り針引っ掛け部は、ハンドルによってカバーされる安全領域に配置されることとなり、釣り針に釣り人が触れる危険度が更に減少し、より一層の安全確保ができると共に、釣りを行う場合にも釣り針引っ掛け部が邪魔にならず安全である。
【図面の簡単な説明】
【００２０】
【図１】本発明に係るレバードラグ式リールの左側を握った状態の説明図である。
【図２】本発明の実施形態に係るレバードラグ式リールを上面から見た平面図である。
【図３】本発明の実施形態に係るレバードラグ式リールを正面から見た正面図である。
【図４】本発明の実施形態に係るレバードラグ式リールの左側面である。
【図５】本発明の実施形態に係るレバードラグ式リールの背面図である。
【図６】本発明に係るレバードラグ式リールの内部構造を示す要部断面図である。
【図７】本発明に係る第１カムの図であり、（イ）は第１カムの側面図、（ロ）は第１カムのカム面の平面図、（ハ）は第１カムのカム面の展開図である。
【図８】本発明に係る第２カムの図であり、（イ）は第２カムのカム面の平面図、（ロ）は（イ）のＢ−Ｂ断面図である。
【図９】本発明に係るラインストッパ部分の正面図である。
【図１０】本発明に係るラインストッパと関連部品との関係を示すラインストッパ部分の正面図である。
【図１１】本発明に係るラインストッパと関連部品との関係を示すラインストッパ部分を下方から見た図である。
【図１２】本発明に係るラインストッパと関連部品との関係を示すラインストッパ部分の側面図である。
【図１３】本発明に係るラインストッパが閉じた状態を断面で示す説明図である。
【図１４】本発明に係るラインストッパが開いた状態を断面で示す説明図である。
【図１５】本発明に係るラインストッパにて釣り糸を挟んだ状態を説明する断面図である。
【図１６】本発明に係る釣り針引っ掛け部を示すためにハンドルの図示を省略した状態のレバードラグ式リールの一部を切り欠いた右側面図である。
【発明を実施するための形態】
【００２１】
本発明の好ましい一つの形態として、リール本体の左右側板間に釣り糸を巻き取るスプールが回転可能に支持された両軸受け型魚釣り用リールにおいて、
前記スプールの前面側に位置し前記左右側板を連結する連結部１１Ｃを備え、
前記連結部１１Ｃには、前記スプールに巻き上げた前記釣り糸の残り部分を着脱自在に保持する釣り糸保持部を備え、
前記釣り糸保持部は、前記連結部１１Ｃにその長さ方向に沿って配置され、バネ力にて前記連結部１１Ｃとの間に前記釣り糸が侵入できない第１状態に保持され、前記バネ力に抗した作用力にて前記第１状態から移動し前記連結部１１Ｃとの間に前記釣り糸の挿入間隔が形成される第２状態となるラインストッパを備え、
前記作用力の解除にて前記ラインストッパと前記連結部１１Ｃとの間に前記釣り糸が挟持される関係であり、以下にその実施例を記載する。
【実施例１】
【００２２】
本発明に係る以下に記載する実施例は、両軸受け型魚釣り用リール１の一つの形態であるレバードラグ式リール１について、図を参照して説明する。レバードラグ式リール１は、その下側部に設けた金属製の取付け脚２を釣竿６０の上側部に形成した取付け部に装着して取り付けられ、その取り付け状態において、多くの使用状態として採用される右側ハンドル操作の場合について説明する。
【００２３】
本発明に係るレバードラグ式リール１は、釣竿６０に取り付けた状態で、釣竿６０の竿先（図１の左方向、図３の手前方向））に向かって右側に、釣糸６２をスプール１５に巻き取り操作するハンドル１２及びドラグ機構１３のドラグ力を調整するドラグレバー１４が配置され、操作者のハンドル側の手（右手）でハンドル１２を操作し、図１に示すように、レバードラグ式リール１の反ハンドル側となる左側面に沿わせた操作者の反ハンドル側の手（左手ＬＨ）によって、釣竿６０を下方から支えると共に左手ＬＨの親指ＬＨ１によって、ドラグレバー１４を操作可能とする小型のレバードラグ式リール１を構成している。
【００２４】
このレバードラグ式リール１は、ジグと称される錘式のルアーを使用し、釣り竿６０竿先から釣糸６２を略真下へ向けて、例えば海中５０ｍ乃至それ以上の深さまで垂らし、比較的大きな魚を狙うジギング釣りとして好適なものである。
【００２５】
以下、本発明に係るレバードラグ式リール１の構成について更に詳細に記載する。以下の説明において、レバードラグ式リール１の取付け脚２を釣竿６０の上側部に形成した取付け部６０Ａに装着した状態において、レバードラグ式リール１を後方から釣竿６０の竿先に向かって見た状態で、右側及び左側と呼称して説明することとする。
【００２６】
図６に示すように、本発明に係るレバードラグ式リール１は、リール本体１１と、リール本体１１に支持されたスプール軸１６に回転自在に支持されたスプール１５と、スプール１５の釣り糸繰り出し方向回転（または釣り糸送り出し方向回転ともいう）のドラグ力を調整するドラグ機構１３と、ドラグ機構１３を介してスプール１５を回転駆動する歯車装置ＧＡと、歯車装置ＧＡを回転駆動するハンドル軸を回転させるためのハンドル１２と、ドラグ機構１３のドラグ力を調整するドラグレバー１４を備えている。また、ドラグ機構１３は、ドラグ力の強弱調整範囲をプリセットするドラグ調整装置５０を備えている。
【００２７】
金属製のリール本体１１は、円形状のスプール１５の左側面を覆う側面視円形状の左側の第１側板１１Ａと、円形状のスプール１５の右側面を覆う側面視円形状の右側の第２側板１１Ｂが、複数の連結部１１Ｃにて連結された状態で対向配置された構成を主体部とし、これに第１側板１１Ａの外側を覆うように第１側板１１Ａにネジ１１Ｈで固定された側面視円形状の金属製の第１側板カバー１１Ｄと、第２側板１１Ｂの外側を覆うように第２側板１１Ｂにネジ１１Ｇで固定された金属製の第２側板カバー１１Ｅを備えて構成である。ネジ１１Ｈは、操作者の左手ＬＨの手のひらが接触しないように、第１側板カバー１１Ｄの外表面から突出しないように窪みに配置されている。
【００２８】
連結部１１Ｃのうち、レバードラグ式リール１の前面側となるスプール１５の前面側に位置する連結部１１Ｃは、図１に示すように、スプール１５から送り出される釣り糸６２よりも低位置に配置されており、スプール１５から送り出される釣り糸６２が接触しない位置である。
【００２９】
第１側板カバー１１Ｄの左側面は、操作者の左手ＬＨの手のひらが沿い易いように、周縁部から中央部に向けて左外方へ大きな曲率で突出した曲面１１Ｄ１をなし、略球面状に膨らんだ丸み形状を呈している。第２側板カバー１１Ｅは、円形状のスプール１５の右側面を覆う側面視円形状部分と、金属製のハンドル取り付け部１２Ｔに連結された金属製のメインギア２２を収容する部分とを一体形成した金属製の第２側板内カバー１１Ｅ１と、ハンドル取り付け部１２Ｔを収容する金属製の第２側板外カバー１１Ｅ２とで構成している。第２側板内カバー１１Ｅ１がネジ１１Ｇで第２側板１１Ｂに固定されており、第２側板内カバー１１Ｅ１と第２側板外カバー１１Ｅ２は、ハンドル取り付け部１２Ｔがメインギア２２と連結される部分で連通する状態にネジ１１Ｊで結合されている。なお、第２側板内カバー１１Ｅ１内のメインギア２２を覆うために、ギアカバー１１Ｅ３を備えており、ギアカバー１１Ｅ３は、外側端が第２側板内カバー１１Ｅ１に連接し内側端がネジ１１Ｋで第２側板１１Ｂに取り付けられた構成である。
【００３０】
リール本体１１には、スプール軸１６の左右両側部が、第１側板１１Ａの一部である第１側板カバー１１Ｄに設けた軸支持部１１Ｄ２と、第２側板１１Ｂの一部である第２側板カバー１１Ｅに設けた軸支持部１１Ｄ３に支持されており、それによって、リール本体１１に対して金属製のスプール軸１６が、回転不能且つスプール軸１６の軸方向へ移動可能（図６において左右方向に移動可能）である。実施例では、第２側板カバー１１Ｅの外面部（具体的には第２側板内カバー１１Ｅ１の外面部）に、スプール軸１６と同軸に膨出形成した膨出部１１Ｅ１Ｂが形成されており、膨出部１１Ｅ１Ｂを貫通してスプール軸１６が、その軸方向に移動可能且つ回転不能に延出するように、膨出部１１Ｅ１Ｂに軸支持部１１Ｄ３が形成されている。軸支持部１１Ｄ２の一部には、スプール軸１６から突出した回り止めピン１６Ｐが嵌まり込む溝１１Ｄ２１が形成されており、回り止めピン１６Ｐが溝１１Ｄ２１に嵌まり込んだ状態で、スプール軸１６が回転不能且つ軸方向へ移動可能（左右移動可能）である。
【００３１】
釣り糸６２を巻き取る金属製のスプール１５は、釣り糸６２を巻き取る円筒状の小径の糸巻き胴部１５Ａと、糸巻き胴部１５Ａの左右両側に設けた円形状の大径のフランジ部１５Ｂ、１５Ｃを一体形成している。これによって、フランジ部１５Ｂと１５Ｃの間の胴部１５Ａの部分が、スプール１５の糸巻部分に相当する。
【００３２】
スプール１５は、左右両側部が軸受け１７Ａ、１７Ｂを介してスプール軸１６対して回転可能に支持されている。この状態で、左側のフランジ部１５Ｂは、リール本体１１の第１側板１１Ａの内側に入り込んだ状態で配置され、右側のフランジ部１５Ｃは、リール本体１１の第２側板１１Ｂの内側に入り込んだ状態で配置される。
【００３３】
軸受け１７Ａは、スプール１５の左側の第１凹部に装着されており、スプール軸１６に取付けたワッシャ１６Ｗと軸受け１７Ａとに付勢力が働く４枚の皿バネからなる第１付勢部材２７によって、図６で右方向となる内方へ付勢され、スプール１５の第１凹部に押し圧されている。軸受け１７Ｂは、スプール１５の右側の第２凹部に装着されており、後述の軸受け２５との間のスプール軸１６の周囲に配置したコイルバネからなる第２付勢部材２８によって、スプール軸１６の内方（図６で左方）に付勢されている。この第２付勢部材２８によって、ドラグフリー状態において、第２摩擦板１３Ｂから第１摩擦板１３Ａが離間するように、スプール１５をスプール軸１６の内方（図６で左方）に付勢する。
【００３４】
スプール１５は、リール本体１１に回転自在に取り付けたハンドル１２の回転操作によって、釣り糸６２がスプール１５に巻き取られる。釣糸６２は、２号撚り糸（ＰＥラインと称する）の先にＰＥラインよりも太いリーダーと称される長さ数メートルの糸が接続された構成であり、このリーダーの先に仕掛けとして釣り針付きのルアー（疑似餌）が取り付けられており、略２００ｍ乃至６００ｍの長さを有する。スプール１５は、略６００ｍの長さまでの釣り糸６２を安定に巻回できるように、糸巻き胴部１５Ａ及び左右両側のフランジ部１５Ｂ、１５Ｃが形成されている。
【００３５】
ハンドル１２は、板状の金属製のハンドルアーム１２Ｂと、ハンドルノブとして若干の弾力を有するゴムや合成樹脂などで形成した握り部１２Ｄを備えており、ハンドル取り付け部１２Ｔにてリール本体１１に回転自在に取付けられている。具体的には、ハンドル取り付け部１２Ｔは、第２側板カバー１１Ｅ内（図示では第２側板外カバー１１Ｅ２内）に設けた軸受け１８Ａ、１８Ｂによって、スプール軸１６の軸線１６Ｓに平行な軸線１２ＡＳ（ハンドル回転軸線１２ＡＳという）でもって金属製のハンドル軸１２Ａが回転自在に支持され、第２側板カバー１１Ｅを貫通したハンドル軸１２Ａの外側端部（図示では右側端部）に、ネジ１９によってハンドルアーム１２Ｂの基部が固定され、ハンドルアーム１２Ｂの先端部に握り部１２Ｄをハンドルノブ支持軸部１２Ｅによって回転自在に支持している。ハンドルノブ支持軸部１２Ｅは、ハンドルアーム１２Ｂに略直角に交差するように、ハンドルアーム１２Ｂの先端部に固定したハンドルノブ軸１２Ｃに、軸受け２０Ａ、２０Ｂを介して握り部１２Ｄと一体の筒部１２Ｄ１が回転自在に支持された構成である。これによって、握り部１２Ｄを操作者の右手によって握持した状態で、スプール１５へ釣り糸６２の巻き取りを行なう場合、ハンドル軸１２Ａを中心として握り部１２Ｄを釣り糸巻き取り方向（レバードラグ式リール１の右側面視で時計方向）に回転させることに伴って、ハンドルノブ軸１２Ｃを中心として握り部１２Ｄが回転するため、スプール１５へ釣り糸６２の巻き取りを連続して行なうことができる。
【００３６】
図６に示すように、ハンドルノブ（握り部）１２Ｄは、両端間の中間部がハンドルノブ支持軸部１２Ｅの先端にハンドルノブ支持軸部１２Ｅと交差状態を保ちつつ、ハンドルノブ軸１２Ｃを中心として回転可能に結合された棒状体を構成し、ハンドルノブ支持軸部１２Ｅは、ハンドルノブ（握り部）１２Ｄを握持する右手の親指と人差し指にて挟み持つことが可能な大きさと長さを備え、ハンドルノブ支持軸部１２Ｅのハンドルアーム１２Ｂに近接する部分の外周に、釣り糸巻き取り回転中常時ハンドルアーム１２Ｂの先端１２Ｂ１の弧状部よりも外方へ張り出す大きさに拡大する環状の指移動阻止部１２Ｈを形成している。
【００３７】
ハンドル１２は、スプール１５へ釣り糸６２を巻き取る方向（図１に矢印Ｙで示す正方向回転という）へは回転できるがその逆方向回転はできないようにするために、第２側板カバー１１Ｅ内（具体的には第２側板外カバー１１Ｅ２内）において、軸受け１８Ａ、１８Ｂ間にワンウェイクラッチ２１が設けられている。ワンウェイクラッチ２１は周知の構成であり、第２側板カバー１１Ｅ側のアウターハウジングと、ハンドル軸１２Ａ側のインナーハウジングとの間に介在したローラの作用によって、ハンドル軸１２Ａが前記正方向回転のみ許容される周知の仕組みである。このため、ハンドル１２の正方向回転によってハンドル軸１２Ａが正方向回転し、後述のドラグ機構１３を介してスプール１５が釣り糸６２を巻き取る方向へ回転する。この場合、スプール１５が釣り糸６２を巻き取る方向とは逆方向の回転である釣り糸送り出し（繰り出しともいう）方向回転しようとすれば、その回転力が後述のドラグ機構１３及びメインギア２２等を介してハンドル軸１２Ａへ伝達されるが、ワンウェイクラッチ２１の作用によってハンドル軸１２Ａは回転せず、従ってハンドル１２も逆方向回転（釣り糸６２を巻き取る方向Ｙ方向とは逆方向の回転）しないように動作する。
【００３８】
ハンドル１２の正方向回転をスプール１５へ伝達するために、ハンドル軸１２Ａの左端部に固定したメインギア２２に噛み合うようにスプール軸１６に装着した金属製のピニオンギア２３を備えている。軸受け２４は、周知のボールベアリング型式の軸受けであり、その外輪が第２側板カバー１１Ｅ内（具体的には第２側板内カバー１１Ｅ１の膨出部１１Ｅ１Ｂ内）の凹部に装着され内輪がピニオンギア２３の外側端部外周に装着されている。それによって、ピニオンギア２３が第２側板カバー１１Ｅ内に回転自在に支持され、ピニオンギア２３は、スプール軸１６に対しては回転自在且つスプール軸１６が軸方向移動自在なるように装着されている。この状態で、スプール軸１６の軸方向移動は許容するが、メインギア２２の回転に伴ってピニオンギア２３が回転する関係である。また、ピニオンギア２３の内側端部には、後述のドラグ機構１３の第２摩擦板１３Ｂと一体の取付け板１３Ｂ１の内周部分が嵌合し、ピニオンギア２３と第２摩擦板１３Ｂが一体化されている。
【００３９】
ドラグ機構１３は、魚が仕掛けに掛った状態で、リール本体１１に回転しない状態に取り付けられたスプール軸１６に対して、回転自在に装着されたスプール１５に釣り糸６２を巻き取る場合、巻き取り操作するハンドル１２の回転をスプール１５に伝達するための回転伝達力の強弱を調整すると共に、魚の引きによってスプール１５の釣り糸繰り出し方向回転が生じる場合、この回転に制動力を加え、この制動力を調整し、また変更するためのものである。
【００４０】
このためドラグ機構１３は、ドラグ力の強弱を揺動動作にて調整する金属製のドラグレバー１４と、スプール１５と共に回転するようにスプール１５の一側面であるハンドル側（図示では竿先方向に向かって右側）の円形状のフランジ部１５Ｃの側面に固定した円板状の第１摩擦板１３Ａ（受動側ブレーキ板に相当）と、第１摩擦板１３Ａに当接可能に対峙しハンドル１２の回転に伴って回転する円板状の第２摩擦板１３Ｂ（能動側ブレーキ板に相当）と、スプール軸１６に対してスプール１５をスプール軸１６の軸方向（ハンドル側となる図示では右側）に向けて付勢する４枚の皿バネからなる第１付勢部材２７と、ドラグフリー状態で第２摩擦板１３Ｂから第１摩擦板１３Ａが離間するようにスプール１５をスプール軸１６の軸方向（反ハンドル側となる図示では左側）に付勢するコイルバネからなる第２付勢部材２８と、ドラグレバー１４の揺動動作にてスプール軸１６の軸方向移動を制御するカム機構３０と、ドラグレバー１４の揺動によるドラグ力の強弱調整範囲を予め所定の範囲に設定する（プリセットという）ドラグ調整装置５０とを備えている。これによって、ドラグレバー１４の揺動動作にて第１摩擦板１３Ａと第２摩擦板１３Ｂとの摩擦係合力（ドラグ力）の強弱が調整され、スプール１５の釣り糸送り出し方向回転に加える制動力が調整される。
【００４１】
なお、第１付勢部材２７の付勢力（バネ力）は、第２付勢部材２８の付勢力（バネ力）よりも大きく設定されている。また、第１付勢部材２７と第２付勢部材２８によって、スプール１５の自由回転時のガタツキを防止している。
【００４２】
第２摩擦板１３Ｂは、スプール軸１６に対して、ピニオンギア２３の回転に伴って回転するが、スプール軸１６が軸方向へ移動しても移動しないように移動不能且つ回転可能である。このため、第２摩擦板１３Ｂは、軸受け２５を介してスプール軸１６に遊転可能に支持され且つスプール軸１６の移動自在に支持される。この軸受け２５は、周知のボールベアリング型式であり、その外輪が第２摩擦板１３Ｂの凹部に装着され、内輪がスプール軸１６に遊嵌されている。これによってスプール軸１６に対して、ピニオンギア２３と共に第２摩擦板１３Ｂが回転自在であり、且つスプール軸１６はその軸方向移動自在である。
【００４３】
第２側板カバー１１Ｅの外面部（具体的には第２側板内カバー１１Ｅ１の外面部）に、スプール軸１６と同軸に膨出形成した膨出部１１Ｅ１Ｂは、スプール軸１６のピニオンギア２３よりもハンドル１２側へ延出する部分を取り囲んで二段階に膨出形成されており、その二段階の二段目が軸受け部１１Ｄ３を形成し、この軸受け部１１Ｄ３を貫通してスプール軸１６が、その軸方向に移動可能に延出するように、軸受け部１１Ｄ３で支持されている。
【００４４】
ドラグレバー１４は、第２側板カバー１１Ｅの外面部（具体的には第２側板内カバー１１Ｅ１の外面部）の膨出部１１Ｅ１Ｂに揺動自在（回動自在ともいう）に支持されている。具体的には、ドラグレバー１４の基部に形成した円筒状の支持部１４Ａが、膨出部１１Ｅ１Ｂの一段目の円筒状外面に揺動自在（回動自在ともいう）に組み合わされ、支持部１４Ａの内周の一部に形成した環状の係止部１４Ｂが、膨出部１１Ｅ１Ｂの二段目の外周面に取り付けたＣ形リングまたはＥ形リングの抜け止め部材１４１によって抜け止め保持されている。この状態でドラグレバー１４は、第２側板内カバー１１Ｅ１に対してスプール軸１６を中心として揺動自在（回動自在ともいう）に保持される。なお、ドラグレバー１４の揺動（回動ともいう）範囲は、略１３０度である。
【００４５】
図７及び図８に示すように、カム機構３０は、ドラグレバー１４側の第１カム３１と、第１カム３１に噛み合うリール本体１１側の第２カム３２とで構成される。第１カム３１は、環状の係止部１４Ｂ  の外側面に沿って配置され、筒状の膨出部１１Ｅ１Ｂを取り囲む円筒状の支持部１４Ａの内側に回り止め状態に取り付けた傾斜カムである。第１カム３１は傾斜カムと称するように、ハンドル１２側へ向けて徐々に高く傾斜した円弧状のカム面３１Ａを形成している。製作のし易さ、取り付けのし易さ、ドラグ動作の安定化のために、第１カム３１は図７（ロ）に示すように円形状リングをなし、カム面３１Ａは、スプール１５の軸線１６Ｓを中心とした半径方向の対称位置に形成された対称カム面３１Ａの構成であり、この対称のカム面３１Ａは、ハンドル１２側から見て反時計回りに傾斜が徐々に強くなる（ハンドル１２側へ近づくように高くなる）形状である。これによって第１カム３１は、スプール軸１６を中心としてドラグレバー１４と共に揺動（回動）する。なお、第１カム３１は、支持部１４Ａの内側に支持部１４Ａと一体形成でもよい。
【００４６】
第２カム３２は、第１カム３１に対向配置したリール本体側カムであり、第１カム３１のカム面３１Ａと相互摺動するカム部３２Ａを備えている。膨出部１１Ｅ１Ｂの二段目の外周は、六角形のような多角形部１１ＥＢ６を有し、第２カム３２は、図８に示すように、この多角形部１１ＥＢ６に嵌合する内周面３２Ｂ１と、ドラグレバー１４の支持部１４Ａの先端部分の円形状の内周面に沿う円形状の外周面とを形成した環状のカム体３２Ｂと、カム体３２Ｂのスプール軸１６を中心とした半径方向の１８０度対称位置において外方へ突出するように取付けた棒状の突起カム形態のカム部３２Ａとで構成されている。
【００４７】
カム機構３０として、第１カム３１と第２カム３２のいずれか一方が傾斜カム形態であり、他方が突起カム形態である技術は、例えば、特開平１１−１５５４４２号公報で公知であるため、この基本的な技術のみは新規技術ではないが、安定動作を達成するための構成については、本発明によって新規に得られたものである。
【００４８】
これによって、第２カム３２は、膨出部１１Ｅ１Ｂの多角形部１１ＥＢ６に回転不能状態で且つスプール軸１６の軸方向へ移動可能状態であり、ドラグレバー１４は、スプール軸１６の軸方向へ移動不能状態であって第２カム３２に対して揺動（回動）自在である。
【００４９】
第１カム３１のカム面の具体的な構成を図７の（イ）〜（ハ）に示す。図７の（イ）は第１カム３１の側面図、図７の（ロ）は第１カム３１の平面図、図７の（ハ）は第１カム３１のカム面３１Ａの展開図である。これらの図において、スプール軸１６の軸線１６Ｓを中心とした半径方向の１８０度対称位置であるＰ及びＱの範囲に、同じ形状でカム面３１Ａが形成されている。Ａの範囲が平坦カム面であり、Ｂの範囲がきつい傾斜の第１傾斜カム面であり、Ｃの範囲が緩い傾斜の第２傾斜カム面であり、Ｄの範囲が更に緩い傾斜の第３傾斜カム面である。第２カム３２のカム部は、図８の（イ）（ロ）に示すように、第２カム３２の１８０度対称位置に設けた突起カム形態のカム部３２Ａが、Ｐ及びＱの範囲でカム面３１Ａと相互摺動する。
【００５０】
ドラグレバー１４を手動操作することによって、ドラグ機構１３の摩擦係合力（ドラグ力）の強弱を調整するが、その場合のドラグ力の強弱調整範囲の初期設定は、ドラグ調整装置５０によって行なわれる。ドラグ調整装置５０は、ドラグレバー１４を揺動自在（回動自在ともいう）に支持する膨出部１１Ｅ１Ｂの先端の多角形部１１ＥＢ６よりも、ハンドル１２側へ延出するスプール軸１６の先端部分に形成した雄ネジ１６Ａ（図６の右端部外周面に二つの平行線で描いた部分）と、この雄ネジ１６Ａに螺合する雌ネジ５１Ａを内側に形成した有底円筒状をなし第２カム３２に相対回転可能に当接したドラグ調整部材５１を備えている。
【００５１】
ハンドル１２側から見て、ドラグ調整部材５１を時計回りに回動させることにより第２付勢部材２８が圧縮されつつ、ドラグ調整部材５１の前記雌ネジ５１Ａとスプール軸１６の前記雄ネジ１６Ａの螺合長さが長くなり、スプール軸１６がスプール１５及び第１摩擦板１３Ａを伴ってハンドル１２側（図６で右側）へ僅かに移動し、第１摩擦板１３Ａと第２摩擦板１３Ｂの間隔が狭まり、ドラグ力強設定状態となる。また、ハンドル１２側から見て、ドラグ調整部材５１を反時計回りに回動させることにより第２付勢部材２８の圧縮が弱まり、前記雌ネジ５１Ａと前記雄ネジ１６Ａの螺合長さが短くなり、スプール軸１６がスプール１５及び第１摩擦板１３Ａを伴ってハンドル１２側から離れる方向（図６で左側）へ僅かに移動し、第１摩擦板１３Ａと第２摩擦板１３Ｂの間隔が広がり、ドラグ力弱設定状態となる。このようにドラグ調整装置５０によって、ドラグ力の強弱調整範囲の初期設定がなされる。
【００５２】
ドラグ調整装置５０にて一つの調整範囲に設定した場合、図６のスプール軸１６の軸線１６Ｓより上半分は、第１摩擦板１３Ａと第２摩擦板１３Ｂの当接力が強い状態、即ちドラグ機構１３による強ドラグ状態を示すものであり、図６のスプール軸１６の軸線１６Ｓより下半分が、第１摩擦板１３Ａと第２摩擦板１３Ｂが離間した状態、即ちドラグ機構１３によるドラグ力がゼロのドラグフリー状態を示すものである。
【００５３】
ドラグレバー１４の揺動によって第１摩擦板１３Ａと第２摩擦板１３Ｂとの当接力の強弱が調整されることにより、ドラグ力が調整されるため、この動作を安定させるために、第１摩擦板１３Ａは耐熱性と耐磨耗性を備えたコルク、合成樹脂等で構成された僅かに弾性を備えたドーナツ状ディスクである。また、第２摩擦板１３Ｂはステンレス等の金属製の円盤状である。
【００５４】
ドラグレバー１４の揺動によってドラグ力を調整する場合について説明する。ドラグレバー１４をドラグフリーの状態とするためには、ドラグレバー１４を図６の手前側（反時計回り）いっぱいまで（スタート位置まで）揺動（回動）する。これによって、第２カム３２の１８０度対称位置に設けたそれぞれのカム部３２Ａが、第１カム３１のカム面３１Ａの１８０度対称位置に設けたそれぞれのＡの範囲（ドラグレバー１４の揺動（回動）角度が１０度の範囲）に位置し、第２付勢部材２８の付勢によってスプール軸１６がスプール１５を伴って図６の左方向へ移動させるため、それによって第１摩擦板１３Ａが図３の左方向へ移動し、第１摩擦板１３Ａが第２摩擦板１３Ｂから離れた状態となる。これは、釣糸６２を竿先方向へ引っ張る作用に対してドラグ力は掛からないゼロの状態である。即ち、スプール１５の釣り糸繰り出し方向回転に対して、ドラグ機構１３によるドラグ力が掛からない状態（ドラグフリー状態）となり、スプール１５が自由回転状態となるため、キャスティングを行なえる状態となる。
【００５５】
このＡの状態からドラグレバー１４を図６の前方側（時計回り）へ揺動（回動）することにより生じる相対運動によって、第２カム３２の１８０度対称位置に設けたそれぞれのカム部３２Ａが、第１カム３１のカム面３１ＡのＡの範囲からカム面３１ＡのＢの範囲へ移行し、１８０度対称位置に設けたそれぞれのＢの範囲（ドラグレバー１４の揺動（回動）角度が２０度の範囲）のカム面を第２カム３２のカム部３２Ａが登ることにより、第２カム３２が図６の右方向へ移動し、それに伴ってドラグ調整部材５１が図６の右方向へ押されるため、ドラグ調整部材５１によってスプール軸１６が第２付勢部材２８の付勢に抗してハンドル１２側（図６で右側）へ引き寄せられて移動し、それに伴ってスプール１５も第１付勢部材２７を介して同じ方向へ移動する。このため、それぞれのカム部３２Ａがカム面３１ＡのＢの範囲の略中間位置から第１摩擦板１３Ａが第２摩擦板１３Ｂに当接し、ドラグ力が掛かり始める状態となり、且つ、ハンドル１２の回転によってスプール１５が釣り糸６２を巻き取る巻き取り方向へ回転可能となる。
【００５６】
このように第１摩擦板１３Ａと第２摩擦板１３Ｂの当接が始まった状態から更にドラグレバー１４を図６の前方側（時計回り）へ揺動（回動）することにより、第２カム３２の１８０度対称位置に設けたそれぞれのカム部３２Ａが第１カム３１のカム面３１ＡのＣの範囲へ移行し、１８０度対称位置に設けたそれぞれのＣの範囲（ドラグレバー１４の揺動（回動）角度が７０度の範囲）のカム面を第２カム３２のカム部３２Ａが登ることにより、第２カム３２が図６の右方向へ移動し、それに伴ってドラグ調整部材５１が図３の右方向へ移動するため、上記同様にドラグ調整部材５１によってスプール軸１６及びスプール１５がハンドル１２側（図６で右側）へ引き寄せられて移動し、第１摩擦板１３Ａが第２摩擦板１３Ｂに当接する当接力が徐々に強くなる。即ち、ドラグ力が徐々に強くなる。
【００５７】
Ｂの範囲のカム面の傾斜をＣの範囲のカム面の傾斜よりも強くしているのは、Ａの範囲のドラグフリーの状態から速やかにドラグ作用開始状態へ移行できるようにするためであり、Ｂの範囲のカム面の傾斜の中間位置からドラグ作用が開始し、それ以降はＣの範囲のカム面の傾斜に沿ってドラグ力が徐々に強くなるようにしている。
【００５８】
Ｃの範囲を越えてドラグレバー１４を図６の前方側（時計回り）へ揺動（回動）することにより、第２カム３２のカム部３２Ａが第１カム３１のカム面３１ＡのＣの範囲からＤの範囲へ移行し、Ｄの範囲（ドラグレバー１４の揺動（回動）角度が３０度の範囲）のカム面を第２カム３２のカム部３２Ａが登ることにより、第２カム３２が図６の右方向へ移動し、それに伴ってドラグ調整部材５１が図６の右方向へ移動するため、上記同様にドラグ調整部材５１によってスプール軸１６及びスプール１５がハンドル１２側（図６で右側）へ引き寄せられて移動し、第１摩擦板１３Ａが第２摩擦板１３Ｂに当接する当接力が更に強くなる。Ｄの範囲の最終部がドラグレバー１４の揺動（回動）動作の終点であり、このときドラグ力が最大となる。
【００５９】
また、ドラグレバー１４を図６の手前側（反時計回り）へ揺動（回動）することによって、第２カム３２のカム部３２Ａが第１カム３１のＤの範囲、Ｃの範囲、Ｂの範囲を順次経ることに伴って、第１摩擦板１３Ａが図６の左方向へ移動してドラグ力が徐々に弱まる。
【００６０】
上記のように、ドラグレバー１４を、図６の前方側（時計回り）及び図６の手前側（反時計回り）への揺動（回動）動作によって、ドラグ力の強弱を調整できるため、実釣中のハンドル１２の操作並びにドラグレバー１４の操作を適宜行なうことにより、実釣効果を得ることができる。
【００６１】
そして、第２カム３２の１８０度対称位置に設けたそれぞれのカム部３２Ａが、第１カム３１の１８０度対称位置に設けたそれぞれのＡの範囲に位置したとき、上記のように、第１摩擦板１３Ａが図６の左方向へ移動して、第１摩擦板１３Ａが第２摩擦板１３Ｂから離れた状態となるため、釣糸６２を竿先方向へ引っ張る作用に対してドラグ力は掛からないゼロの状態である。
【００６２】
上記の記載から明らかなように、第２カム３２のカム部３２Ａが第１カム３１のＡの範囲に位置した状態では、スプール１５は、ドラグ機構１３との連繋やハンドル取り付け部１２Ｔを含むハンドル１２側との連繋も外れた状態であるため、スプール１５の釣り糸繰り出し方向回転に対して殆んど抵抗がない状態となる。この状態で、キャスティングを行なう、即ち、ジグと称される錘式のルアーを使用した釣り糸６２を釣り竿６０から略真下へ向けて、例えば海中５０ｍ乃至それ以上の深さまで垂らした後、ドラグレバー１４を図６の前方側（時計回り）へ揺動（回動）することにより、上記のように、ドラグ機構１３が作動してドラグが掛かる。このため、ドラグレバー１４の図６の前方側（時計回り）及び図６の手前側（反時計回り）への揺動（回動）動作と、ハンドル１２の回転操作とを適宜行うことによって、釣り糸６２を所望の状態に送り出した状態にて実釣動作を行なうことができる。
【００６３】
ドラグレバー１４を安定して回動させるために、ドラグレバー１４の一部である操作部１４Ｄから下方へ突出するように操作部１４Ｄに取り付けた突起部１４Ｄ１が、第２側板１１Ｂの円弧状上面に形成した円弧上溝７０に嵌り合って、ドラグレバー１４の回動と共に前後に回動可能である。そして、ドラグレバー１４の回動を段階的に行うための発音装置６５をこの部分に設けている。
【００６４】
レバードラグ式リール１（両軸受け型魚釣り用リール１）は、図３に示すように、その下側部に設けた金属製の取付け脚２を釣竿６０の上側部に形成した取付け部６０Ａに装着して取り付けられ、その取り付け状態において、レバードラグ式リール１の左側面に沿わせた操作者の左手ＬＨの中指や薬指などによって釣竿６０を下方から支えると共に、その左手ＬＨによってレバードラグ式リール１を握持し、左手ＬＨの親指ＬＨ１によってドラグレバー１４を操作可能とし、操作者の右手でハンドル１２を操作可能とする構成である。また、左手ＬＨの親指ＬＨ１は、ドラグレバー１４から離した状態で、釣り糸６２がスプール１５へ略均等状態に巻き取られるように釣り糸６２を案内するように操作することができる。
【００６５】
また、レバードラグ式リール１の右側に配置されるドラグ調整部材５１の回動位置を操作者に音で認識させるためと、ドラグ調整部材５１の回動を段階的に行えるようにするために、図６に拡大図にて示すように、発音装置９５を設けている。発音装置９５は、ドラグ調整部材５１に対向するカム体３２Ｂの外側面に、球面状の窪み９６が円形状に等間隔で形成され、ドラグ調整部材５１からこの窪み９６へ向けて、バネ９８で付勢された球体９７によって構成されている。
【００６６】
実釣中に釣針が岩等の異物に引っ掛かったときなどの異常時に、釣り竿６０の強い引き上げ操作によってその引っ掛かりを外す、または釣り糸６２を切る操作を行なうために、釣り糸６２の繰り出し方向へのスプール１５の回転を停止させるストップ装置８５が、図６に示すように、レバードラグ式リール１の左側の第１側板１１Ａ内に収容されている。
【００６７】
ストップ装置８５は、スプール１５の左側面に取り付けたラチェット車（つめ車）８６の歯に対して係止と離脱を行なうロック部材８７と、ロック部材８７を操作するロック操作部８８を備えており、通常時はロック部材８７がラチェット車（つめ車）８６の歯に係止状態ではなく、ロック操作部８８が第１側板１１Ａの下部に露出するようにバネ付勢されている。そして、上記異常時には、ロック部材８７がラチェット車８６の歯に係止してスプール１５の回転を停止させるように、ロック操作部８８を回動操作する。
【００６８】
このようなレバードラグ式リール１（両軸受け型魚釣り用リール１）では、釣り糸６２をスプール１５へ巻き上げ、ドラグ機構１３によってスプール１５の釣り糸送り出し方向回転を阻止した状態において、釣り糸６２の持つ緊張力や糸癖などによって、釣り糸６２がスプール１５から自然に緩み出る（ほどけ出る）ことがある。特に、前述のように釣り糸６２として、ＰＥラインの先にリーダーが接続された状態では、リーダーは腰がある糸であるため、これがスプール１５から自然に緩み出され（ほどけ出され）易い。
【００６９】
本発明は、このようにスプール１５から釣り糸６２が自然に緩み出る（ほどけ出る）ことを抑制するための釣り糸保持部（釣り糸保持装置ともいう）ＴＨを提供するものであり、以下、その構成を説明する。
本発明は、リール本体１１の左側板である第１側板１１Ａと、右側板である第２側板１１Ｂとの間に釣り糸６２を巻き取るスプール１５が回転可能に支持された両軸受け型魚釣り用リール１において、スプール１５の前面側に位置し左右側板１１Ａ、１１Ｂを連結する連結部１１Ｃを備え、この連結部１１Ｃに、スプール１５に巻き上げた釣り糸６２の残り部分（仕掛けが取り付けられるリーダーの先の部分に相当し、スプール１５に巻き上げられずに残る部分）を着脱自在に保持する釣り糸保持部ＴＨを備える。
【００７０】
この釣り糸保持部ＴＨの一つの実施形態として、スプール１５の前面側に位置し左右側板１１Ａ、１１Ｂを連結する連結部１１Ｃに、その左右方向である長さ方向に沿ってラインストッパ１００が配置されている。ラインストッパ１００は、バネ力にて釣り糸６２が侵入できない第１状態を保持し、このバネ力に抗した作用力にて釣り糸６２を挟持可能な第２状態へ動く構成である。
このようなラインストッパ１００を備えた釣り糸保持部の好ましい実施形態を以下に説明する。
【００７１】
上記のように、連結部１１Ｃのうち、レバードラグ式リール１の前面側となるスプール１５の前面側に位置する連結部１１Ｃは、図１に示すように、スプール１５から送り出される釣り糸６２よりも低位置に配置されており、釣りを行う際にスプール１５から送り出される釣り糸６２及びスプーツ１５に巻き取られる釣り糸６２が接触しない位置である。
スプール１５の前面側に位置する連結部１１Ｃには、その長さ方向となる左右方向に沿って配置され、バネ１０５のバネ力にて連結部１１Ｃとの間に釣り糸６２が侵入できない第１状態に保持され、前記バネ力に抗した作用力にて前記第１状態から移動し連結部１１Ｃとの間に釣り糸６２の挿入間隔が形成される第２状態となるラインストッパ１００を備え、前記作用力の解除にてラインストッパ１００と連結部１１Ｃとの間に釣り糸６２が挟持される構成である。
【００７２】
連結部１１Ｃの表面には、スプール１５の糸巻部分に相当するフランジ部１５Ｂと１５Ｃの間の胴部１５Ａの部分に対応して、連結部１１Ｃには、連結部１１Ｃの長さ方向に沿って長く形成された収容凹部１０２を有する。収容凹部１０２には、その長さ方向に沿ってラインストッパ１００が収容される。ラインストッパ１００は、その中間の軸支持部１０３が連結部１１Ｃに挿通された軸１０４に回動可能に支持され、軸支持部１０３に対する一方側１００Ａ（実施例では、図１３に示すように、釣り竿６０の竿先に向かってレバードラグ式リール１の左側、即ちハンドル１２の反対側）が、収容凹部１０２の外方向に向けてコイルバネ１０５にて付勢され、このようにバネ１０５にて付勢された状態で、図１３に示すように、軸支持部１０３に対する他方側１００Ｂ（実施例では、図１３に示すように、釣り竿６０の竿先に向かってレバードラグ式リール１の右側、即ちハンドル１２の配置側）が収容凹部１０２内に入り込んだ第１状態を保つ。
【００７３】
通常の釣りを行う場合、ラインストッパ１００がスプール１５から送り出される釣り糸６２に接触しない状態が好ましい。このため、前記第１状態において、ラインストッパ１００は連結部１１Ｃからの突出が制限され、連結部１１Ｃの表面と略並行な配置であることが望ましい。
この達成のために軸支持部１０３はラインストッパ１００から裏側へ突出形成され、収容凹部１０２は、連結部１１Ｃの左右方向である長さ方向に沿った略均一な平坦な底面１０２Ａと、軸支持部１０３及びバネ１０５が収容される一段深い窪み１０２Ｐを有する。
【００７４】
図１０及び図１２に示すように、軸支持部１０３が収容凹部１０２に収容された状態で、先端が塞がれ連結部１１Ｃの一側面に開口する軸孔に軸１０４が挿入され、この軸１０４にラインストッパ１００は回動可能に支持される。連結部１１Ｃの側面にネジ止めされる留めネジ１０７の頭部１０７Ｔが軸１０４の露出端部１０４Ａを抑えることにより、軸１０４の抜け止めとなる。
このような構成とするのは、連結部１１Ｃの幅が狭いためであり、連結部１１Ｃの幅が広い場合は、軸１０４の先端部を連結部１１Ｃにねじ込み固定することにより、留めネジ１０７を省略できる。
【００７５】
このような構成によって、ラインストッパ１００の連結部１１Ｃからの突出程度は、図１３に示すように、釣り人がラインストッパ１００の一方側１００Ａを前記第２状態となるように押圧することが可能な程度の突出とし、且つラインストッパ１００の表面は、図１１及び図１３に示すように、連結部１１Ｃから若干突出した状態で連結部１１Ｃの表面と略並行な配置となる。
図１１及び図１３に示すように、このような状態を維持するために、ラインストッパ１００の他方側１００Ｂの裏面は平坦面に形成され、他方側１００Ｂに対応する収容凹部１０２の底面も略均一な平坦面であり、第１状態において、図１３に示すように他方側１００Ｂの裏面は対応する収容凹部１０２の底面１０２Ａに面接触状態に保持される。
【００７６】
ラインストッパ１００は、軸支持部１０３に対する一方側１００Ａを釣り人がバネ１０５の付勢に抗して押圧することにより、その押圧力にて図１４に示すように、連結部１１Ｃに対して収容凹部１０２の外へ斜めに進出し、軸支持部１０３に対するラインストッパ１００の他方側１００Ｂの裏面が、ラインストッパ１００と連結部１１Ｃとの間に釣り糸６２を挿入できる挿入間隔が形成される第２状態となる。このため、釣り糸６２をラインストッパ１００と略直交状態にこの挿入間隔へ挿入した状態で、前記押圧力を解除することによって、バネ１０５の付勢によりラインストッパ１００の他方側１００Ｂが収容凹部１０２へ向けて復帰する。これによって、ラインストッパ１００が連結部１１Ｃに対して斜め状態において、図１５に示すように、ラインストッパ１００と略直交状態において、ラインストッパ１００の他方側１００Ｂと連結部１１Ｃとの間に釣り糸６２が挟持される。
【００７７】
このような関係によって、ラインストッパ１００の表面（収容凹部１０２の外へ進出する面）は長さ方向に沿って略均一な平面または上方に凸の湾曲面をなし、両軸受け型魚釣り用リール１が釣り竿６０に取り付けられた状態で、前記第１状態においてラインストッパ１００の表面が収容凹部１０２の外側に略均一に突出した状態であり、図１に示すように、スプール１５に対する釣り糸６２の送り出し時及び巻き取り時の緊張した釣り糸６２がラインストッパ１００の表面から離れた状態となる関係に、連結部１１Ｃ及びラインストッパ１００が配置された構成である。
【００７８】
ラインストッパ１００と連結部１１Ｃとで釣り糸６２を挟持する部分は、釣り糸６２が少なくとも２個所以上の角部で挟持される形態が望ましい。その一つの構成として、図１５には、釣り糸６２がＡ、Ｂ、Ｃ、Ｄの４個所で挟持される構成を示す。図１５に示す構成は、収容凹部１０２の長さ方向の対向壁が２段階に形成され、これに対応してラインストッパ１００の長さ方向の対向壁が２段階に形成されている。２段階に形成しない一つの角の場合は、ラインストッパ１００と略直交状態に挟持される釣り糸６２の挟持箇所は、ラインストッパ１００の裏側の角部２個所となる。
【００７９】
また、ラインストッパ１００と連結部１１Ｃとで釣り糸６２を挟持する部分は、釣り糸６２が弧状の面で挟持される構成でもよい。その場合、ラインストッパ１００の裏面は蒲鉾状に凸曲面をなし、これに対応して収容凹部１０２の底面も弧状の曲面をなす。
【００８０】
スプール１５に釣り糸６２を巻き上げた状態で、仕掛けの釣り針を引っ掛ける釣り針引っ掛け部１１０を、ハンドル１２側のリール本体１１の後部と底部の間に設けている。実施例では、図１６に示すように、リール本体１１の水平軸線と垂直軸線の略中間の位置に、リール本体１１から略４５度で後斜め下方向に突出するように釣り針引っ掛け部１１０をリール本体１１にネジ止めしている。
釣り針引っ掛け部１１０の実質的取り付けは、第２側板１１Ｂの外側面に形成した取り付け凹部に、平板状の釣り針引っ掛け部１１０の基部を嵌合しネジＮＪＴで固定した後、ネジＮＪＴを外側からギアカバー１１Ｅ３で覆う状態に構成されている。この取り付けによって、釣り針引っ掛け部１１０の釣り糸引っ掛け孔１１０Ｐが、ハンドルアーム１２の回転半径内でリール本体１１から露出状態となる。
【００８１】
上記の構成によって、釣り糸６２をスプール１５に巻き上げ、スプール１５に巻き上げた釣り糸６２の残り部分を着脱自在に保持する釣り糸保持部によって保持する。この場合、スプール１５に巻き上げた釣り糸６２の残り部分を釣り糸保持部によって保持した後、釣り糸６２の弛みをなくするようにハンドル１２によってスプール１５を巻き上げ方向へ回転させ、その状態でドラグ機構１３によってスプール１５の回転を阻止する状態とすれば、釣り糸６２がスプール１５から自然に緩み出る（ほどけ出る）ことが防止できる。
【００８２】
また、釣り糸６２をスプール１５に巻き上げ、その状態でドラグ機構１３によってスプール１５の回転を阻止する状態とした後、スプール１５に巻き上げた釣り糸６２の残り部分をスプール１５の前方側へ引っ張って緊張状態とし、その状態で釣り糸６２の残り部分を釣り糸保持部によって保持する。これによって、釣り糸６２はスプール１５と釣り糸保持部との間で緊張状態を維持し、釣り糸６２がスプール１５から自然に緩み出る（ほどけ出る）ことが防止できる。
【００８３】
釣り糸保持部が連結部１１Ｃとラインストッパとの間に釣り糸６２が挟持される構成によって、釣り糸６２が安定に保持され、釣り糸６２の持つ緊張力や糸癖などによって、釣り糸６２がスプール１５から自然に緩み出る（ほどけ出る）ことを防止でき、また釣りを再開する場合はその保持を容易に解除できる。また、ラインストッパ１００はスプール１５の前面側で連結部１１Ｃに配置されるため、操作がし易く、釣りを支障なく行える。
【００８４】
また、連結部１１Ｃの表面は勿論釣り糸６２の送り出し時及び巻き取り時に釣り糸６２から離れた状態であり、ラインストッパ１００の表面も、図１に示すように、釣り糸６２の送り出し時及び巻き取り時に釣り糸６２から離れた状態であることにより、釣り糸６２の送り出し時及び巻き取り時の動作の邪魔にならず、安定した釣り操作ができる。
【００８５】
また、連結部１１Ｃに長さ方向に沿って連結部１１Ｃの表面に長く形成された収容凹部１０２にラインストッパ１００が収容される構成によって、ラインストッパ１００と収容凹部１０２との間に挟持された釣り糸６２は、少なくとも２か所以上で屈曲状態となるため、ラインストッパ１００を付勢するバネ１０５の作用力は比較的小さくても釣り糸６２の挟持が確実となり、る。このため、ラインストッパ１００の一方側を押してラインストッパ１００を開く操作力と、挟持を解除する操作力も小さくて済み、ラインストッパ１００の操作がし易くなる。
【００８６】
上記のように、ラインストッパ１００の軸支持部１０３に対する一方側１００Ａは、釣り人がバネ１０５の付勢に抗して押圧する部分であるため、所定の押圧が達成でき、この押圧によってラインストッパ１００と連結部１１Ｃとの間に釣り糸６２を挿入できる挿入間隔が形成されればよい。
上記の場合、通常状態では、バネ１０５の付勢によってラインストッパ１００の表面が、収容凹部１０２から若干突出した状態で連結部１１Ｃの表面と略並行な配置であるが、これに替わる構成として、通常状態において、少なくとも釣り人が押圧するラインストッパ１００の一方側１００Ａのみ収容凹部１０２から連結部１１Ｃの表面に対して所定の高さまで突出した状態とし、ラインストッパ１００の他方側１００Ｂの表面は、収容凹部１０２の上端である連結部１１Ｃの表面と略同一レベルとなる平坦な平面、または連結部１１Ｃの表面よりも若干外方向へ膨らんだ曲面とする構成でもよい。
【００８７】
本発明は、スプールの前面側に位置した連結部１１Ｃにラインストッパ１００を配置する構成に一つの特徴があり、このため、通常の魚釣り状態において釣り糸６２がラインストッパ１００に接触せず安定な釣りが行えるものである。
この点に鑑み、上記以外の他の形態として、ラインストッパ１００を連結部１１Ｃにその長さ方向に沿って連結部１１Ｃの表面に重ね合わせ状態に配置し、中間部の軸支持部１０３を連結部１１Ｃに回動可能に支持し、一方側１００Ａの裏側と連結部１１Ｃの間に配置したバネ１０５で付勢し、他方側１００Ｂが連結部１１Ｃの表面に釣り糸６２が入り込まない状態で当接し、一方側１００Ａを釣り人がバネ１０５の付勢に抗して押圧することにより、他方側１００Ｂが連結部１１Ｃの表面から離れて、他方側１００Ｂと連結部１１Ｃとの間に釣り糸６２が挟持できる構成とすることができる。
【００８８】
更に他の構成として、スプール１５の前面側に位置する連結部１１Ｃに、その長さ方向に沿って配置され、ラインストッパ１００自体がバネ材で形成され、通常状態ではそのバネの付勢力にて釣り糸６２が侵入できない第１状態を保持し、バネの付勢力に抗した作用力にて釣り糸６２を挟持可能な第２状態へ動き、この作用力の解除にて釣り糸が挟持される形態とすることも可能である。
この場合、上記のようにラインストッパ１００の軸支持部１０３に対する一方側１００Ａを押圧する形態に比して、釣り糸６２を挟持可能な第２状態とする作業が若干面倒である。
【００８９】
また、釣り針付きのルアーを取り付けた釣り糸６２をラインストッパ１００によって保持した状態では釣り針がフリーの状態であれば釣り針に引っ掛かる危険があるが、釣り針引っ掛け部１１０に釣り針を引っ掛ければその危険が少なくなる。本発明はそれだけでなく、釣り針引っ掛け部１１０をリール本体１１のハンドル側のリール本体１１の下部に設けることにより、釣り針引っ掛け部１１０は、ハンドルによってカバーされる安全領域に配置されることとなり、釣り針に釣り人が触れる危険度が更に減少し、より一層の安全確保ができると共に、釣りを行う場合にも釣り針引っ掛け部が邪魔にならず安全である。
【符号の説明】
【００９０】
１・・・・・・・両軸受けリール（レバードラグ式リール）
２・・・・・・・取付け脚
１１・・・・・・リール本体
１１Ａ・・・・・第１側板
１１Ｂ・・・・・第２側板
１１Ｃ・・・・・連結部
１１Ｄ・・・・・第１側板カバー
１１Ｄ２・・・・軸支持部
１１Ｄ３・・・・軸支持部
１１Ｅ・・・・・第２側板カバー
１１Ｅ１・・・・第２側板内カバー
１１Ｅ１Ｂ・・・膨出部
１１Ｅ２・・・・第２側板外カバー
１２・・・・・・ハンドル
１２Ａ・・・・・ハンドル軸
１２Ｂ・・・・・ハンドルアーム
１２Ｃ・・・・・ハンドルノブ軸
１２Ｄ・・・・・ハンドルノブ（握り部）
１２Ｄ１・・・・筒部
１２Ｅ・・・・・ハンドルノブ支持軸部
１２Ｈ・・・・・指移動阻止部
１３・・・・・・ドラグ機構
１３Ａ・・・・・第１摩擦板
１３Ｂ・・・・・第２摩擦板
１４・・・・・・ドラグレバー
１５・・・・・・スプール
１６・・・・・・スプール軸
１７Ａ、１７Ｂ・・・・軸受け
２０Ａ、２０Ｂ・・・・軸受け
２２・・・・・・・メインギア
２３・・・・・・・ピニオンギア
２４、２５・・・・軸受け
２７・・・・・・第１付勢部材
２８・・・・・・第２付勢部材
３０・・・・・・カム機構
３１・・・・・・第１カム
３１Ａ・・・・・カム面
３２・・・・・・第２カム
３２Ａ・・・・・カム部
３２Ｂ・・・・・カム体
５０・・・・・・ドラグ調整装置
５１・・・・・・ドラグ調整部材
６０・・・・・・釣り竿
６２・・・・・・釣り糸
７０・・・・・・円弧状溝部
７５・・・・・・ブレーキ装置
８５・・・・・・ストップ装置
９５・・・・・・発音装置
１００・・・・・ラインストッパ
１００Ａ・・・・ラインストッパの一方側
１００Ｂ・・・・ラインストッパの他方側
１０２・・・・・収容凹部
１０２Ｐ・・・・収容凹部の底面
１０３・・・・・軸支持部
１０４・・・・・軸
１１０・・・・・釣り針引っ掛け部  ＬＨ・・・・・左手
ＬＨ１・・・・左手の親指  
ＴＨ・・・・・釣り糸保持部（釣り糸保持装置ともいう）
【図１】
2018186758.tif 000003
【図２】
2018186758.tif 000004
【図３】
2018186758.tif 000005
【図４】
2018186758.tif 000006
【図５】
2018186758.tif 000007
【図６】
2018186758.tif 000008
【図７】
2018186758.tif 000009
【図８】
2018186758.tif 000010
【図９】
2018186758.tif 000011
【図１０】
2018186758.tif 000012
【図１１】
2018186758.tif 000013
【図１２】
2018186758.tif 000014
【図１３】
2018186758.tif 000015
【図１４】
2018186758.tif 000016
【図１５】
2018186758.tif 000017
【図１６】
2018186758.tif 000018